(57)【要約】      （修正有）【課題】狭隘な場所や地域の傾斜地に宅地を造成する際に、より施工しやすい構成で土木工事でありながら意匠性の高い仕上がりを有している擁壁パネルの積層構造を提供する。【解決手段】擁壁を構成する長方形型の擁壁ＰＣ板１は、中央裏面に親杭の上部が構成するガイド用鉄骨材がゆとりをもって挿入できる貫通穴２を有し、該貫通穴２の内部はその中心部に向かって四周から狭まる形状を有しており、前記擁壁ＰＣ板１を複数枚積層した状態で上部からコンクリートを打設すると四周に凹凸形状を有する支柱が構築され、該支柱が積層された夫々の擁壁ＰＣ板１の貫通穴２を貫いて擁壁ＰＣ板１の支柱になる擁壁パネルの積層構造。【選択図】図１
2012021385.tif 000002
【特許請求の範囲】
【請求項１】
擁壁を構成する長方形型の擁壁ＰＣ板は中央裏面に親杭の上部が構成するガイド用鉄骨材がゆとりをもって挿入できる貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることを特徴とする擁壁パネルの積層構造。
【請求項２】
擁壁を構成する長方形型の擁壁ＰＣ板は中央裏面に親杭の上部が構成するガイド用鉄筋がゆとりをもって挿入できる貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることを特徴とする擁壁パネルの積層構造。
【請求項３】
擁壁を構成する長方形型の擁壁ＰＣ板は中央裏面に親杭の上部が構成するガイド用鉄骨材、並びに鉄筋がゆとりをもって挿入できる貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることを特徴とする擁壁パネルの積層構造。
【請求項４】
擁壁を構成する長方形型の擁壁ＰＣ板は中央裏面に親杭基部に連通する貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることを特徴とする擁壁パネルの積層構造。
【請求項５】
擁壁を構成する長方形型の擁壁ＰＣ板は中央裏面に親杭の上部が構成するガイド用鉄骨材がゆとりをもって挿入できる貫通穴を設け、或いは擁壁ＰＣ板は中央裏面に親杭基部に連通する貫通穴を設け、該貫通穴の内部はその中心部に向かって四周から狭まる形状となし、前記擁壁ＰＣ板を複数枚積層した状態で貫通穴に上部からコンクリートを打設すると四周に凹凸形状を有する支柱が構築され、該支柱が積層された夫々の擁壁ＰＣ板の貫通穴を貫いて擁壁ＰＣ板の支柱となるように施工することを特徴とする擁壁パネルの施工方法。
【発明の詳細な説明】
【技術分野】
【０００１】  本発明は、傾斜地に於いて安全な宅地を造成するために施工される擁壁パネルの積層構造、及び当該擁壁パネルの施工方法に関するものである。
【背景技術】
【０００２】  近年、有効に土地を活用するために、傾斜地の利用は益々盛んである。傾斜地に設けられる宅地や道路では、特に豪雨や地震による地盤の崩落を防止できる擁壁を設けて安全な宅地の造成や、道路の造成が求められている。【０００３】  傾斜地の崩落を防止するための従来の擁壁工法は、石やブロック等の材料が重みで傾斜面にもたれ掛った状態で擁壁を構築する方法や、傾斜地の土を掘削した後に当該部分に擁壁を構築して土を埋め戻し、該埋め戻した土の重みで構築した擁壁自体を安定化させる方法、並びにＨ型鋼等のように凹部嵌合溝を有する親杭を８０〜１５０ｃｍ程度の間隔で打設して傾斜面の掘削に伴い横矢板を前記親杭間の凹部嵌合溝に嵌着して擁壁を構築する方法等が一般的である。【０００４】  然しながら、上述した従来の擁壁工法のうち、傾斜地の土を掘削した後に当該部分に擁壁を構築して土を埋め戻し、該埋め戻した土の重みで構築した擁壁自体を安定化させる方法に於いては、土の移動量が多く地形を大きく改変させてしまうので、自然環境に及ぼす影響が大きい大規模な工事となる場合が多い。【０００５】  また、Ｈ型鋼等のように凹部嵌合溝を有する親杭を８０〜１５０ｃｍ程度の間隔で打設して傾斜面の掘削に伴い横矢板を前記親杭間の凹部嵌合溝に嵌着して擁壁を構築する方法においては、支柱となるＨ鋼の見付面は擁壁外部に突出して擁壁の支持枠を構成するものであり、支柱ピッチ毎に突出した支持枠は意匠性が全くない。前記Ｈ鋼からなる支柱はスチール色であったり、スチール錆色で工事途中の現場や仮設工事の雰囲気を有しており、意匠性を高めるためには、新たな費用をかけて擁壁全体を化粧材にて覆うことを真剣に検討することも生じている。【０００６】  そして、上述したような、擁壁施工現場で、親杭や支柱、横矢板とのジョイント部材等に鉄部材が使用され、該鉄部材が外部に露出しているような構成の擁壁工法は、耐候性を重視する最近の擁壁工法に於いては、仮設工事的な評価しか得られない。【０００７】  更に、従来の擁壁工法では、概して工事が大規模で、大型重機を用いての効率化や、迅速な施工が求められてきたが、最近では、小型重機を用いての施工が必要となる狭隘な場所や地域での擁壁工事も多くなってきた。【０００８】  斯くして、本発明は、小型重機を用いての施工が効率良く、且つ迅速に行える狭隘地用の擁壁パネルの積層構造、及びその施工方法を提供するものである。
【発明の概要】
【発明が解決しようとする課題】
【０００９】  本発明が解決しようとする課題は、傾斜地に宅地を造成する際に、より施工しやすい構成で、土木工事でありながら意匠性の高い仕上がりを有している擁壁パネルの積層構造、及びその施工方法を提供するものである。【００１０】  本発明は、従来の擁壁パネルにおいて、該擁壁パネルを親杭により支持する際に、その支持間隔が一般的に８０〜１５０ｃｍと小さく施工効率が良くないものであった点を改良して、夫々の擁壁パネルＰＣ板をパネル中央の貫通穴で支持することにより支柱を中心に左右均等に土圧がかかるように構成して擁壁パネルピッチを２ｍと大きく拡大した。そしてこの改良された擁壁パネルのパネル幅は、狭隘な場所でも小型重機を用いて施工出来る最良の大きさを提供するものである。【００１１】  また、本発明において、擁壁パネル中央の貫通穴に通しで挿入される親杭上部の支柱は、初め親杭上部に伸びたＨ鋼が擁壁パネルの積層ガイドとなり、擁壁パネルの積層作業を容易にして施工の効率を高め、擁壁パネルの積層作業終了後、擁壁パネル中央の貫通穴にコンクリートを詰めて強固に連結した支柱を構成するもので、支柱や、擁壁パネルのジョイント部分に鉄部の露出部分がなく、耐候性に優れ、意匠性の高い擁壁を提供可能である。【００１２】  そして、本発明の擁壁工法では、あらかじめ量産可能な擁壁パネルＰＣ板の積層構造を提供するものであり、崩落現場においても、仮設工事を施す必要もなく、本体工事の施工が可能であることから、無駄を省いた環境にやさしいエコ対応技術を提供するものである。
【課題を解決するための手段】
【００１３】  本発明において、擁壁を構成する長方形型の擁壁ＰＣ板は、中央裏面に親杭の上部が構成するガイド用鉄骨材がゆとりをもって挿入できる貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることで、擁壁パネルの積層を行うものである。【００１４】  また、本発明において、擁壁を構成する長方形型の擁壁ＰＣ板は、中央裏面に親杭の上部が構成するガイド用鉄筋、または、ガイド用鉄骨材及び鉄筋の組み合わせ材がゆとりをもって挿入できる貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることで、擁壁パネルの積層を行うものである。【００１５】  更に、本発明において、擁壁を構成する長方形型の擁壁ＰＣ板は、中央裏面に親杭基部に連通する貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることで、擁壁パネルの積層を行うものである。【００１６】  そして、本発明が提供する施工方法は、擁壁を構成する長方形型の擁壁ＰＣ板中央裏面に親杭の上部が構成するガイド用鉄骨材がゆとりをもって挿入できる貫通穴を設け、或いは擁壁ＰＣ板は中央裏面に親杭基部に連通する貫通穴を設け、該貫通穴の内部はその中心部に向かって四周から狭まる形状となし、前記擁壁ＰＣ板を複数枚積層した状態で貫通穴に上部からコンクリートを打設すると四周に凹凸形状を有する支柱が構築され、該支柱が積層された夫々の擁壁ＰＣ板の貫通穴を貫いて擁壁ＰＣ板の支柱となるように施工することを特徴としている。
【発明の効果】
【００１７】  斯くして、本発明は、傾斜地に宅地を造成する際に、あらかじめ量産可能な擁壁ＰＣ板をストックして置き、該擁壁を構成する長方形型の擁壁ＰＣ板は、中央裏面に親杭の上部が構成するガイド用鉄骨材がゆとりをもって挿入できる貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることで擁壁パネルの積層を行うものである。【００１８】  従って、本発明は、施工しやすい構成で、土木工事でありながら擁壁ＰＣ板は、その表面に凹凸模様や凹部切り込み目地で布積み模様、煉瓦積み模様、そして矢羽積み模様を任意に構成でき、意匠性の高い仕上がりを有した擁壁パネルの積層構造、及びその施工方法を提供することができる。【００１９】  本発明は、従来の擁壁パネルにおいて、該擁壁パネルを親杭により支持する際に、その支持間隔が一般的に８０〜１５０ｃｍと小さく施工効率が良くないものであった点を改良して、夫々の擁壁パネルＰＣ板をパネル中央の貫通穴で支持することにより支柱を中心に左右均等に土圧がかかるように構成して擁壁パネルピッチを２ｍと大きく拡大した。そしてこの改良された擁壁パネルのパネル幅は、狭隘な場所でも小型重機を用いて施工出来る最良の大きさを提供するもので、大規模な工事を必要とせず、狭隘な場所や地域での効率良い工事を迅速に行えるものである。【００２０】  また、本発明に於いて、擁壁パネル中央の貫通穴に通しで挿入される親杭上部の支柱は、初め親杭上部に伸びたＨ鋼が擁壁パネルの積層ガイドとなり、擁壁パネルの積層作業を容易にして施工の効率を高め、擁壁パネルの積層作業終了後、擁壁パネル中央の貫通穴にコンクリートを詰めて強固に連結した支柱を構成するもので、支柱や、擁壁パネルのジョイント部分に鉄部の露出部分がなく、耐候性に優れ、意匠性の高い擁壁を提供可能である。【００２１】  そして、本発明の擁壁工法では、あらかじめ量産可能な擁壁パネルＰＣ板の積層構造を提供するものであり、崩落現場においても、仮設工事を施す必要もなく、本体工事の施工が可能であることから、無駄を省いた環境にやさしいエコ対応技術を提供するものである。
【図面の簡単な説明】
【００２２】
【図１】（Ａ）本発明に使用される擁壁ＰＣ板の形状を示す平面図である。
【図１】（Ｂ）本発明に使用される擁壁ＰＣ板の形状を示す正面図である。
【図２】（Ａ）本発明の擁壁ＰＣ板中央裏面に設けられる貫通穴の形状例を示す断面図である。
【図２】（Ｂ）本発明の擁壁ＰＣ板中央裏面に設けられる貫通穴の形状例を示す断面図である。
【図３】（Ａ）本発明の擁壁ＰＣ板貫通穴が造るコンクリート塊の説明図である。
【図３】（Ｂ）本発明の擁壁ＰＣ板貫通穴が造るコンクリート塊の説明図である。
【図４】（Ａ）本発明の擁壁ＰＣ板貫通穴に打設されるコンクリート支柱の形状例説明図である。
【図４】（Ｂ）図４（Ａ）の想像線内拡大説明図である。
【図４】（Ｃ）本発明の擁壁ＰＣ板貫通穴に打設されるコンクリート支柱の説明図である。
【図５】（Ａ）本発明の擁壁ＰＣ板貫通穴に打設されるコンクリート支柱の形状例説明図である。
【図５】（Ｂ）図４（Ａ）の想像線内拡大説明図である。
【図５】（Ｃ）本発明の擁壁ＰＣ板貫通穴に打設されるコンクリート支柱の説明図である。
【図６】（Ａ）本発明に使用される擁壁ＰＣ板支柱の形状を示す断面図である。
【図６】（Ｂ）図６（Ａ）における変形の形を示す説明図である。
【図７】（Ａ）本発明の擁壁ＰＣ板貫通穴に打設される支柱の施工手順説明図である。
【図７】（Ｂ）本発明の擁壁ＰＣ板貫通穴に打設される支柱の施工手順説明図である。
【図７】（Ｃ）本発明の擁壁ＰＣ板貫通穴に打設される支柱の施工手順説明図である。
【図７】（Ｄ）本発明の擁壁ＰＣ板貫通穴に打設される支柱の施工手順説明図である。
【図７】（Ｅ）本発明の擁壁ＰＣ板貫通穴に打設される支柱の施工手順説明図である。
【図８】本発明の擁壁積層工事を説明する断面図である。
【図９】本発明の擁壁工事例を説明する斜視説明図である。
【発明を実施するための形態】
【００２３】  本発明において、擁壁を構成する長方形型の擁壁ＰＣ板は、中央裏面に親杭の上部が構成するガイド用鉄骨材がゆとりをもって挿入できる貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることで、擁壁パネルの積層を行うものである。
【００２４】  上記擁壁パネルは、夫々長方形の擁壁ＰＣ板で構成され、擁壁ＰＣ板の中央裏面には貫通穴を設けており、該貫通穴は擁壁ＰＣ板が積層されると連通した支柱構成型枠を形成するもので、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になる。
【００２５】  而して、夫々の擁壁ＰＣ板は、四周に凹凸形状を有する支柱により強固に連結され、また夫々の擁壁ＰＣ板は中央裏面で支持されることから、前記支柱を中心に左右均等の土圧がかかるように構成され、パネルピッチ（パネル幅）を２ｍ前後に構成でき、また、擁壁ＰＣ板の高さは、１ｍ前後に設定して、ＰＣ工場で量産可能である。
【００２６】  また、上記支柱構成枠の基礎となる親杭は、通常、杭穴を掘削して、Ｈ型鋼を挿入しフープ筋を挿入した後、コンクリートを打設して形成するもので、Ｈ型鋼の代わりにＨ型鋼を骨材としたＰＣ板角柱を挿入することで、地上面にガイド用となるＨ型鋼を立てることができる。
【００２７】  前記擁壁を構成する長方形型の擁壁ＰＣ板は、中央裏面に親杭の上部が構成するガイド用鉄骨材、即ち、Ｈ型鋼がゆとりをもって挿入できる貫通穴を有していることから、ガイド用鉄骨材を利用して、小型重機にて擁壁ＰＣ板を積層する。
【００２８】  そして、前記、貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることで、擁壁パネルの積層が行えるものである。
【００２９】  従って、本発明は、施工しやすい構成で、土木工事でありながら擁壁ＰＣ板は、その表面に凹凸模様や凹部切り込み目地で布積み模様、煉瓦積み模様、そして矢羽積み模様を任意に構成でき、意匠性の高い仕上がりを有した擁壁パネルの積層構造、及びその施工方法を提供することができる。
【００３０】  また、本発明において、擁壁を構成する長方形型の擁壁ＰＣ板は、中央裏面に親杭の上部が構成するガイド用鉄骨材、並びに鉄筋がゆとりをもって挿入できる貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることで、擁壁パネルの積層を行うものである。
【００３１】  更に、本発明において、擁壁を構成する長方形型の擁壁ＰＣ板は、中央裏面に親杭基部に連通する貫通穴を有し、該貫通穴の内部はその中心部に向かって四周から狭まる形状を有しており、前記擁壁ＰＣ板を複数枚積層した状態で上部からコンクリートを打設すると四周に凹凸形状を有する支柱が構築され、該支柱が積層された夫々の擁壁ＰＣ板の貫通穴を貫いて擁壁ＰＣ板の支柱になることで、擁壁パネルの積層を行うものである。
【００３２】  そして、本発明が提供する施工方法は、擁壁を構成する長方形型の擁壁ＰＣ板中央裏面に親杭の上部が構成するガイド用鉄骨材がゆとりをもって挿入できる貫通穴を設け、或いは擁壁ＰＣ板は中央裏面に親杭基部に連通する貫通穴を設け、該貫通穴の内部はその中心部に向かって四周から狭まる形状となし、前記擁壁ＰＣ板を複数枚積層した状態で貫通穴に上部からコンクリートを打設すると四周に凹凸形状を有する支柱が構築され、該支柱が積層された夫々の擁壁ＰＣ板の貫通穴を貫いて擁壁ＰＣ板の支柱となるように施工することを特徴としている。
【実施例１】
【００３３】  図１（Ａ）は本発明の擁壁パネルの形状を示す平面図、図１（Ｂ）は擁壁パネルの正面図を示している。図１（Ａ）、（Ｂ）において、１は擁壁ＰＣ板、２は擁壁ＰＣ板１の中央裏面に構成される支柱形成用の貫通穴、該貫通穴２の内部形状は、その中心部に向かって四周から狭まるくの字形状３を有した形状や、弓型形状４を有している。尚、５はＰＣ製作時に使用される製作用デーハ、６は施工時に使用される施工用デーハ、７は擁壁ＰＣ板施工時に他の擁壁ＰＣ板との嵌合に使用されるガイドピン、８は水抜き穴を構成する切り欠き部である。【００３４】  図２（Ａ）は図１（Ａ）の貫通穴２の内部形状例を示す断面図であり、該貫通穴２の内部形状は、その中心部に向かって四周から狭まるくの字形状３を有した形状を示しており、また、図２（Ｂ）は図１（Ａ）の貫通穴２の形状を示す断面図であり、該貫通穴２の内部形状は、その中心部に向かって四周から狭まる弓型形状４を有した形状を示している。
尚、図中９は前記擁壁ＰＣ板１の一部が形成する貫通穴四周枠である。【００３５】  本発明において、擁壁を構成する夫々の長方形型擁壁ＰＣ板１は、中央裏面に親杭の上部が構成するガイド用鉄骨材がゆとりをもって挿入できる貫通穴２を有し、該貫通穴２の内部はその中心部に向かって四周から狭まる形状３、または４を有しており、前記擁壁ＰＣ板１を複数枚積層した状態で上部からコンクリートを打設すると四周に凹凸形状を有する支柱が構築され、該支柱が積層された夫々の擁壁ＰＣ板１の貫通穴２を貫いて擁壁ＰＣ板１の支柱になることで、擁壁パネルの積層を行うものである。【００３６】  而して、図３（Ａ）は前記貫通穴内部の貫通穴２にコンクリートを詰め込んだ時にできる支柱形状例、即ち、コンクリートの塊１０の一部を示すもので、当該コンクリートの塊１０は、上下に引張り力Ｐが加わると断面積が最も小さい部分で、図３（Ｂ）の如くちぎれてしまう。【００３７】  然しながら、図４（Ａ）、（Ｂ）、（Ｃ）、並びに図５（Ａ）、（Ｂ）、（Ｃ）に於いて、本発明における支柱形成部材１１は、擁壁ＰＣ板１の貫通穴四周枠９が、支柱構成型枠材となり支柱形成部材１１を補強するように覆っている。従って、図４（Ａ）、並びに図５（Ａ）に示す如く支柱形成部材１１と貫通穴四周枠９との接地面１２では、図４（Ｂ）、並びに図５（Ｂ）のような圧縮力１３が互いに発生しているので、図４（Ｃ）、並びに図５（Ｃ）のように擁壁ＰＣ板１の貫通穴四周枠９を９ａ、９ｂの如く重ねると圧縮耐力効果により、引張り力Ｐは非常に強力なものになる。【００３８】  図６（Ａ）は親杭１４上に設けられた基台１５上に親杭１４に支持されたガイド用鉄骨材１６（例えばＨ型鋼材）が立設されており、該ガイド用鉄骨材１６にガイドされて、各擁壁ＰＣ板１ａ、１ｂ、１ｃ・・・等が積層されている。そして、各擁壁ＰＣ板１ａ、１ｂ、１ｃ・・・等の裏面中央に設けられた貫通穴２ａ、２ｂ、２ｃ・・・等には、上部からコンクリート１７が打設され、擁壁１８が構築されている。【００３９】  而して、図６（Ａ）に於ける擁壁ＰＣ板１ａ、１ｂ、１ｃ・・・の貫通穴２ａ、２ｂ、２ｃ・・・は、夫々、その中心部に向かって四周から狭まる弓型形状４を有した形状を示しており、全体としてバンブーのような立面形状を有しており、擁壁１８として構築された時、土圧１９を受けて、図６（Ｂ）の如く変形動作２０を受けても、各擁壁ＰＣ板１ａ、１ｂ、１ｃ・・・と貫通穴２ａ、２ｂ、２ｃ・・・との圧縮耐力効果で擁壁１８は維持可能である。【００４０】  図７（Ａ）乃至図７（Ｅ）は、本発明の擁壁パネル積層手順を説明するものであり、図７（Ａ）乃至図７（Ｅ）において、１４は親杭、１５は基台、１６は親杭１４に立設されたガイド用鉄骨材、１ａ、１ｂ、１ｃ・・・は擁壁ＰＣ板、２ａ、２ｂ、２ｃ・・・は貫通穴、１９は下部地盤、２０は上部地盤、２１は腰つなぎ部材、２２は頭つなぎ部材を示している。【００４１】  図７（Ａ）は下部地盤１９に植設された親杭１４にガイド用鉄骨材１６を建て込んだ工程をしめしている。図７（Ｂ）は親杭１４の杭頭部分の基台１５を設け、該基台１５上に擁壁ＰＣ板１ａ、１ｂ、１ｃを積層した状態を示しており、前記、ガイド用���骨材１６は、擁壁ＰＣ板１ａ、１ｂ、１ｃの構築をガイドする役割を果たしている。【００４２】  図７（Ｃ）は、擁壁ＰＣ板１ａ、１ｂ、１ｃが積層されて構成された連通する貫通穴２ａ、２ｂ、２ｃにコンクリート１７を充填し、並列する各ガイド用鉄骨材１６を横つなぎで補強する腰つなぎ部材２１を設ける。【００４３】  図７（Ｄ）は、前記腰つなぎ部材２１上に新たな擁壁ＰＣ板１ｄ、１ｅ、１ｆを積層した状態を示しており、図７（Ｅ）は、前記擁壁ＰＣ板１ｄ、１ｅ、１ｆが積層されて構成された連通する貫通穴２ｄ、２ｅ、２ｆにコンクリート１７を充填し、並列する各ガイド用鉄骨材１６の天端に頭つなぎ部材２２を設ける。
尚、上部地盤２０は、図７（Ａ）乃至図７（Ｅ）の工程で積層された擁壁１８により土留めされた宅地造成部を示している。【００４４】  斯くして、図７（Ａ）乃至図７（Ｅ）に於いて説明した擁壁１８の積層構造は、親杭１４に建て込まれたガイド用鉄骨材１６を利用して擁壁ＰＣ板１ａ、１ｂ、１ｃ・・・等を積層し、該擁壁ＰＣ板１ａ、１ｂ、１ｃ・・・の裏面中央に設けられた貫通穴２ａ、２ｂ、２ｃ・・・にコンクリート１７を充填して、擁壁パネルの支柱を構築するものであるが、擁壁ＰＣ板１ａ、１ｂ、１ｃ・・・等、積層枚数が増えた場合、即ち、擁壁の高さが高くなった場合等には、図８に示す如く、擁壁ＰＣ板１ａ、１ｂ、１ｃ・・・等の裏面からバックアンカー２３をアーム状に設け、該バックアンカー２３の先端部は安定地盤２５に設置されたアンカーウェイト２４に接続された構成を採用することにより、高さの高い擁壁も構築することが可能である。【００４５】  また、図９は、斜視図を用いて、横方向に伸びる擁壁ＰＣ板１の関係を図示したもので、本発明の擁壁パネル積層構造は、擁壁ＰＣ板１ａ、１ｂ、１ｃ・・・等の裏面から連結されるバックアンカー２３やアンカーウェイト２４を組み合わせて擁壁１８を構築可能で、擁壁パネルの組み合わせによっては、図９の様に入隅部２５（出隅部も可能）形状も構築可能である。【００４６】  斯くして、本発明の擁壁１８は、夫々長方形の擁壁ＰＣ板１ａ、１ｂ、１ｃ・・・で構成され、該夫々の擁壁ＰＣ板１ａ、１ｂ、１ｃ・・・の中央裏面には貫通穴２ａ、２ｂ、２ｃ・・・を設けており、該貫通穴２ａ、２ｂ、２ｃ・・・は擁壁ＰＣ板１ａ、１ｂ、１ｃ・・・が積層されると連通した支柱構成型枠を形成するもので、前記擁壁ＰＣ板１ａ、１ｂ、１ｃ・・・を複数枚積層した状態で上部からコンクリート１７を打設すると四周に凹凸形状を有する支柱が構築され、該支柱が積層された夫々の擁壁ＰＣ板１ａ、１ｂ、１ｃ・・・の貫通穴２ａ、２ｂ、２ｃ・・・を貫いて擁壁ＰＣ板の支柱になる。【００４７】  そして、夫々の擁壁ＰＣ板１ａ、１ｂ、１ｃ・・・は、四周に凹凸形状を有する支柱により強固に連結され、また夫々の擁壁ＰＣ板１ａ、１ｂ、１ｃは中央裏面で支持されることから、前記支柱を中心に左右均等の土圧がかかるように構成され、パネルピッチ（パネル幅）を２ｍ前後に構成でき、また、擁壁ＰＣ板の高さは、１ｍ前後に設定して、ＰＣ工場で量産可能である。【００４８】  また、上記支柱構成枠の基礎となる親杭１４は、通常、杭穴を掘削して、Ｈ型鋼を挿入しフープ筋を挿入した後、コンクリートを打設して形成するもので、Ｈ型鋼の代わりにＨ型鋼を骨材としたＰＣ板角柱を挿入することで、地上面にガイド用となるＨ型鋼を立てることも可能である。【００４９】  前記擁壁１８を構成する長方形型の擁壁ＰＣ板１ａ、１ｂ、１ｃ・・・は、中央裏面に親杭１４の上部が構成するガイド用鉄骨材１６、即ち、Ｈ型鋼がゆとりをもって挿入できる貫通穴２ａ、２ｂ、２ｃを有していることから、ガイド用鉄骨材１６を利用して、小型重機にて擁壁ＰＣ板１ａ、１ｂ、１ｃ・・・を積層する。【００５０】  そして、前記、貫通穴２ａ、２ｂ、２ｃ・・・の内部はその中心部に向かって四周から狭まる形状を有���ており、前記擁壁ＰＣ板１ａ、１ｂ、１ｃ・・・を複数枚積層した状態で上部からコンクリート１７を打設すると四周に凹凸形状を有する支柱が構築され、該支柱が積層された夫々の擁壁ＰＣ板１ａ、１ｂ、１ｃ・・・の貫通穴２ａ、２ｂ、２ｃ・・・を貫いて擁壁ＰＣ板１ａ、１ｂ、１ｃ・・・の支柱になることで、擁壁パネル１８の積層が行えるものである。【００５１】  従って、本発明は、施工しやすい構成で、土木工事でありながら擁壁ＰＣ板１ａ、１ｂ、１ｃ・・・は、その表面に凹凸模様や凹部切り込み目地で布積み模様、煉瓦積み模様、そして矢羽積み模様を任意に構成でき、意匠性の高い仕上がりを有した擁壁パネルの積層構造、及びその施工方法を提供することができる。
【実施例２】
【００５２】  図７（Ｅ）は、実施例２を説明するものであり、実施例２において、擁壁１８を構成する長方形型の擁壁ＰＣ板１ａ、１ｂ、１ｃ・・・は、中央裏面に親杭の上部が構成するガイド用鉄骨材１６及び鉄筋（図示せず）の組み合わせ部材がゆとりをもって挿入できる貫通穴２ａ、２ｂ、２ｃ・・・を設けていたり、或いは、前記ガイドとなる部材が鉄筋による構成部材で構成され、該ガイド用鉄筋がゆとりを持って挿入できる貫通穴２ａ、２ｂ、２ｃ・・・を有しており、前記貫通穴２ａ、２ｂ、２ｃ・・・の内部はその中心部に向かって四周から狭まる形状を有しており、前記擁壁ＰＣ板１ａ、１ｂ、１ｃ・・・と複数枚積層した状態で上部からコンクリート１７を打設すると四周に凹凸形状を有する支柱が構築され、該支柱が積層された夫々の擁壁ＰＣ板１ａ、１ｂ、１ｃ・・・の貫通穴２ａ、２ｂ、２ｃ・・・を貫いて擁壁ＰＣ板１ａ、１ｂ、１ｃ・・・の支柱になり、擁壁パネルの積層を行うものである。
【実施例３】
【００５３】  図７（Ｅ）は、実施例３を説明するものであり、実施例３において、擁壁を構成する長方形型の擁壁ＰＣ板１ａ、１ｂ、１ｃ・・・は、中央裏面に親杭基部１５に連通する貫通穴２ａ、２ｂ、２ｃ・・・を有し、該貫通穴２ａ、２ｂ、２ｃ・・・の内部はその中心部に向かって四周から狭まる形状を有しており、前記擁壁ＰＣ板１ａ、１ｂ、１ｃ・・・を複数枚積層した状態で上部からコンクリート１７を打設すると四周に凹凸形状を有する支柱が構築され、該支柱が積層された夫々の擁壁ＰＣ板１ａ、１ｂ、１ｃ・・・の貫通穴２ａ、２ｂ、２ｃ・・・を貫いて擁壁ＰＣ板１ａ、１ｂ、１ｃ・・・の支柱になることで、擁壁パネルの積層を行うものである。
【実施例４】
【００５４】  図７（Ａ）乃至図７（Ｅ）は、実施例４を説明するものであり、実施例４において、擁壁を構成する長方形型の擁壁ＰＣ板１ａ、１ｂ、１ｃ・・・は、中央裏面に親杭１４の上部が構成するガイド用鉄骨材１６がゆとりをもって挿入できる貫通穴２ａ、２ｂ、２ｃを設け、或いは擁壁ＰＣ板１ａ、１ｂ、１ｃ・・・は中央裏面に親杭基部１５に連通する貫通穴２ａ、２ｂ、２ｃ・・・を設け、該貫通穴２ａ、２ｂ、２ｃ・・・の内部はその中心部に向かって四周から狭まる形状となし、前記擁壁ＰＣ板１ａ、１ｂ、１ｃ・・・を複数枚積層した状態で貫通穴２ａ、２ｂ、２ｃ・・・に上部からコンクリート１７を打設すると四周に凹凸形状を有する支柱が構築され、該支柱が積層された夫々の擁壁ＰＣ板１ａ、１ｂ、１ｃ・・・の貫通穴２ａ、２ｂ、２ｃ・・・を貫いて擁壁ＰＣ板１ａ、１ｂ、１ｃ・・・の支柱となるように施工するものである。
【産業上の利用可能性】
【００５５】  斯くして、本発明は、狭隘な場所や地域の傾斜地に宅地を造成する際に、より施工しやすい構成で、土木工事でありながら意匠性の高い仕上がりを有している擁壁パネルの積層構造、及びその施工方法を提供するものであり、産業上の利用可能性は多大なものがある。
【符号の説明】
【００５６】  １、１ａ、１ｂ、１ｃ・・・  擁壁ＰＣ板
２、２ａ、２ｂ、２ｃ・・・  貫通穴
３  くの字形状
４  弓型形状
５  製作用デーハ
６  施工用デーハ
７  ガイドピン
８  水抜き穴を構成する切り欠き部
９  貫通穴四周枠
１０  コンクリートの塊
１１  支柱形成部材
１２  接地面
１３  圧縮力
１４  親杭
１５  基台
１６  ガイド用鉄骨材
１７  コンクリート
１８  擁壁
１９  下部地盤
２０  上部地盤
２１  腰つなぎ部材
２２  頭つなぎ部材
２３  バックアンカー
２４  アンカーウェイト
２５  入隅部
【図１】
2012021385.tif 000003
【図２】
2012021385.tif 000004
【図３】
2012021385.tif 000005
【図４】
2012021385.tif 000006
【図５】
2012021385.tif 000007
【図６】
2012021385.tif 000008
【図７】
2012021385.tif 000009
【図７】
2012021385.tif 000010
【図７】
2012021385.tif 000011
【図８】
2012021385.tif 000012
【図９】
2012021385.tif 000013
【手続補正書】
【提出日】平成22年9月21日(2010.9.21)
【手続補正１】
【補正対象書類名】明細書
【補正対象項目名】００２２
【補正方法】変更
【補正の内容】
【００２２】
【図１】（Ａ）本発明に使用される擁壁ＰＣ板の形状を示す平面図である。          （Ｂ）本発明に使用される擁壁ＰＣ板の形状を示す正面図である。
【図２】（Ａ）（Ｂ）本発明の擁壁ＰＣ板中央裏面に設けられる貫通穴の形状例を示す断面図である。
【図３】（Ａ）（Ｂ）本発明の擁壁ＰＣ板貫通穴が造るコンクリート塊の説明図である。
【図４】（Ａ）本発明の擁壁ＰＣ板貫通穴に打設されるコンクリート支柱の形状例説明                図である。(Ｂ) 図４（Ａ）の想像線内拡大説明図である。(Ｃ) 本発明の擁壁ＰＣ板貫通穴に打設されるコンクリート支柱の説明図である。
【図５】（Ａ）本発明の擁壁ＰＣ板貫通穴に打設されるコンクリート支柱の形状例説明                図である。(Ｂ)  図５（Ａ）の想像線内拡大説明図である。(Ｃ)  本発明の擁壁ＰＣ板貫通穴に打設されるコンクリート支柱の説明図である。
【図６】(Ａ)  本発明に使用される擁壁ＰＣ板支柱の形状を示す断面図である。           (Ｂ)  図６（Ａ）における変形の形を示す説明図である。
【図７】（Ａ）（Ｂ）（Ｃ）（Ｄ）（Ｅ）本発明の擁壁ＰＣ板貫通穴に打設される支柱の施工手順を示す説明図である。
【図８】本発明の擁壁積層工事を説明する断面図である。
【図９】本発明の擁壁工事例を説明する斜視説明図である。
【手続補正２】
【補正対象書類名】図面
【補正対象項目名】全図
【補正方法】変更
【補正の内容】
【図１】
2012021385.tif 000014
【図２】
2012021385.tif 000015
【図３】
2012021385.tif 000016
【図４】
2012021385.tif 000017
【図５】
2012021385.tif 000018
【図６】
2012021385.tif 000019
【図７−１】
2012021385.tif 000020
【図７−２】
2012021385.tif 000021
【図７−３】
2012021385.tif 000022
【図８】
2012021385.tif 000023
【図９】
2012021385.tif 000024